(57)【要約】【課題】  工作機械等において切削屑の侵入を防ぎ且つコンパクトで有りながら耐久性を高めて大きなリフト力が得られるようにした密閉型段取レベリングブロックを提供することにある。【解決手段】  平坦面３の前後端に前垂直壁５と後垂直壁７を持つ基体１と、この平坦面に載せた駆動勾配体１０と、上記駆動勾配体１０の前面１０Ａに明けた雌ネジ１０Ｂに上記前垂直壁５に貫通した軸受孔５Ａに軸方向不動に油含浸スラスト軸受１２を介して回転可能に支持された推力ネジ棒１１と、上記駆動勾配体１０に載せられ昇降勾配駒体１４の昇降面１４Ａのみ露出して昇降動を許容するカバー体１５と、上記基体１の開口した左右両側部を密閉する閉塞板１６，１７と、からなる。【選択図】図１
2006263899.tif 000002
【特許請求の範囲】
【請求項１】
平坦面の前後端に前垂直壁と後垂直壁を形成した断面凹型の基体と、上記基体の床面に載せられ前垂直壁と後垂直壁の方向に移動する駆動テーパー体と、上記駆動テーパー体の前面に明けた雌ネジに螺合すべく上記前垂直壁に貫通させた軸受孔に軸方向不動に油含浸スラスト軸受に支持された推力ネジ棒と、上記後垂直壁に貫通させた雌ネジに螺合しその先端で上記駆動テーパー体の後面に衝突して後退動を規制するストップネジ棒と、上記駆動テーパー体のテーパー上面に載せられ矩形の昇降面を上部に形成した昇降テーパー駒体と、上記駆動テーパー体の昇降面に係合して昇降動のみ許容するよう上記前垂直壁上面及び後垂直壁上面にネジ手段で螺着したカバー体と、上記基体の開口した左右両側部をネジ手段で螺着した閉塞板と、を具備したことを特徴とする段取レベリングブロック。
【請求項２】
上記推力ネジ棒の頭部に長身なスパナ掛部を形成したことを特徴とする請求項１記載の段取レベリングブロック。
【請求項３】
上記昇降テーパー駒体の昇降面の外周平面とカバー体裏面との隙間に、板バネ又はコイルバネ等からなる弾性体を介在させたことを特徴とする請求項１記載の段取レベリングブロック。
【請求項４】
上記カバー体をノックピンで前垂直壁上面又は後垂直壁上面に固着させたことを特徴とする請求項１または３記載の段取レベリングブロック。
【請求項５】
上記カバー体の左右両縁部を下方内側へ折り曲げ形成したことを特徴とする請求項１または３または４記載の段取レベリングブロック。
【発明の詳細な説明】
【技術分野】
【０００１】  本発明は、例えば、工作機械や三次元測定機等の精密位置決めを要求される産業機械のワークの水平レベル出しを行うための段取レベリングブロックに係り、特に、工作機械において切削屑の侵入を防ぎ且つコンパクトで有りながら大きなリフト力が得られるようにした段取レベリングブロックに関するものである。
【背景技術】
【０００２】  従来から、工作機械や三次元測定機等の精密位置決めを要求される産業機械の水平レベル出しを行うためのレベリングブロックが提供されている。その具体例を以下に説明する。まず、レベリングブロックを工作機械のベッドと基礎コンクリートの間に介在させ、基礎ボルト用溝に基礎ボルトを通して締結し、調整ボルトを回転させることにより滑り台を介して受け板を上下に移動させることによってレベル調整を行う。受け台の底面と受け板の上面に設けた多数の穴により、受け台の底面と基礎コンクリートの間、または受け板の上面にと、上記ベッドとの間の摩擦力を大きくせしめ、レベリングブロックと工作機械ベッドとの間、及びレベリングブロックと基礎コンクリートとの間の滑りを防止し、分割型ベッド問に生じる隙問の発生を抑えるものがある（例えば、特許文献１参照。）。【０００３】  更に、図７のレベリングブロック１１において、基体１には床面２と、前垂直壁３と、左右に側壁４，５とを備える。上記床面２に置かれたテーパー駆動体６は、前垂直壁３に設けた係合溝７に嵌合部９Ａを回転可能のみに係合させた高さ調整ボルト９の先端と螺合されて、前後方向にスライドし、このテーパー駆動体６の上面に昇降駒体１０のテーパー下面を摺り合わせるように載せるとともに、左右の側壁４，５に凹設する溝４Ａ，５Ａに昇降駒体１０の左右側面凸設した凸片１０Ａ，１０Ｂを昇降可能に係合させたものである。これにより、高さ調整ボルト９の頭部９Ａに工具を掛けて手操作で回転駆動することで、テーパー駆動体５が前後に移動し、テーパー係合する昇降駒体１０を昇降駆動し、ワーク・大物構造加工物等の水平出し・レベリングを行うものである。【０００４】
【特許文献１】  特開２０００−３３４６３１号公報
【発明の開示】
【発明が解決しようとする課題】
【０００５】  しかし、上記図７のレベリングブロック１１によると、テーパー駆動体６や高さ調整ボルト９や前垂直壁３に設けた係合溝７に嵌合部９Ａが外部に開放されているから、クーラント液が侵入したり切粉が内部に入り込む。これで、テーパー駆動体６の動きを悪いものとするほか、清掃や分解掃除等の操作性やメンテナンス性に劣る。更に、高さ調整ボルト９は、前垂直壁３に設けた係合溝７に係合させたものであるから、大きな推力に前垂直壁３が耐えられないし、係合溝７に対するボルトの嵌合部にもカジリを生じて大きな荷重に耐えられない。また、昇降駒体１０の昇降ストロークも小さく、そのレベリング調整範囲も狭く限定されたものとなって、調整代・使用勝手が悪い。以上のような数々の問題点がある。【０００６】  本発明は、上記レベリングブロック「レベリング装置」における問題点に鑑みてなされたもので、その課題と目的は、工作機械等において切削屑の侵入を防ぎ且つコンパクトで有りながら耐久性を高めて大きなリフト力が得られるようにしたレベリングブロックを提供することにある。
【課題を解決するための手段】
【０００７】  上記目的を達成するべく本発明の請求項１による段取レベリングブロックは、平坦面の前後端に前垂直壁と後垂直壁を形成した断面凹型の基体と、上記基体の床面に載せられ前垂直壁と後垂直壁の方向に移動する駆動テーパー体と、上記駆動テーパー体の前面に明けた雌ネジに螺合すべく上記前垂直壁に貫通させた軸受孔に軸方向不動に油含浸スラスト軸受に支持された推力ネジ棒と、上記後垂直壁に貫通させた雌ネジに螺合しその先端で上記駆動テーパー体の後面に衝突して後退動を規制するストップネジ棒と、上記駆動テーパー体のテーパー上面に載せられ矩形の昇降面を上部に形成した昇降テーパー駒体と、上記駆動テーパー体の昇降面に係合して昇降動のみ許容するよう上記前垂直壁上面及び後垂直壁上面にネジ手段で螺着したカバー体と、上記基体の開口した左右両側部をネジ手段で螺着した閉塞板と、を具備したことを特徴とするものである。【０００８】  また、請求項２による段取レベリングブロックは、請求項１記載の段取レベリングブロックにおいて、上記推力ネジ棒における頭部に長身なスパナ掛部を形成したことを特徴とするものである。【０００９】  また、請求項３による段取レベリングブロックは、請求項１記載の段取レベリングブロックにおいて、上記昇降テーパー駒体の昇降面の外周平面とカバー体裏面との隙間に、板バネ又はコイルバネ等からなる弾性体を介在させたことを特徴とするものである。【００１０】  また、請求項４による段取りレベリングブロックは、請求項１または３記載の段取レベリングブロックにおいて、上記カバー体をノックピンで前垂直壁上面又は後垂直壁上面に固着させたことを特徴とするものである。【００１１】  また、請求項５による段取りレベリングブロックは、請求項１または３または４記載の段取レベリングブロックにおいて、上記カバー体の左右両縁部を下方内側へ折り曲げ形成したことを特徴とするものである。【００１２】  即ち、本発明の段取レベリングブロックは、平坦面の前後端に前垂直壁と後垂直壁を持つ基体と、この平坦面に載せた駆動テーパー体と、上記駆動テーパー体の前面に明けた雌ネジに上記前垂直壁に貫通した軸受孔に軸方向不動に油含浸スラスト軸受を介して回転可能に支持された推力ネジ棒と、上記駆動テーパー体に載せられ昇降テーパー駒体の昇降台のみ露出して昇降動を許容するカバー体と、上記基体の開口した左右両側部を密閉する閉塞板と、からなる。これにより、推力ネジ棒は、基体における堅牢な前垂直壁に貫通した軸受孔に軸方向不動に油含浸スラスト軸受を介して回転可能に支持されているから、前垂直壁に貫通した軸受孔の強度アップにより耐久力が著しく向上し、大きな耐荷重にて押し上げることができる。また、油含浸スラスト軸受により軸受孔に対する推力ネジ棒の嵌合部のかじり現象も無く、推力ネジ棒の円滑な回転操作ができる。【００１３】  更に、昇降テーパー駒体の昇降ストロークも大きくなり、そのレベリング調整範囲が広くなって使用勝手が向上する。具体的には、最低高さにすると昇降面の高さが低くなり収納時段重ねが可能となる。更に、昇降テーパー駒体は、大きな昇降ストロークが得られる。更に、段取レベリングブロックは、カバー体と左右の閉塞板とに���り塞がれるから、切粉やクーラント液が内部に侵入しにくく、内部清掃や分解掃除等のメンテナンスの回数が低減されるしその作業も楽に行える。【００１４】  また、上記推力ネジ棒には、頭部に長身なスパナ掛部を形成したから、工具による大きな回転トルクにも頑丈に耐えられるし、スパナ掛部の損耗・損傷も少なく安全性が高い。【００１５】  また、昇降テーパー駒体の昇降面の外周平面とカバー体裏面との隙間に、弾性体を介在させたから、昇降テーパー駒体の無用な浮上やガタツキも無く、安定した昇降動作が得られる。また、カバー体をノックピンで前垂直壁上面又は後垂直壁上面に固着させたから、カバー体のガタツキも無く、昇降テーパー駒体の安定した昇降動作が得られる。【００１６】  また、上記カバー体の左右両縁部を下方内側へ折り曲げ形成したから、段取レベリングブロックはこのカバー体の左右両縁部を手に持っての運搬時に、手の平を傷付けなく、安全である。
【発明の効果】
【００１７】  本発明による段取レベリングブロックによると、推力ネジ棒は、基体における堅牢な前垂直壁に貫通した軸受孔に軸方向不動に油含浸スラスト軸受を介して回転可能に支持したから、推力ネジ棒の回転が円滑となり且つ前垂直壁に貫通した軸受孔の強度アップにより耐久力が著しく高い。更に、昇降テーパー駒体の昇降ストロークが大きくレベリング調整範囲を広くでき、収納時段重ねができる。更に、カバー体と左右の閉塞板により塞がれるから、切粉・クーラント液が内部に侵入しにくく、内部清掃や分解掃除等のメンテナンスの回数が低減できる。【００１８】  また、上記推力ネジ棒の長身なスパナ掛部により、工具による大きな回転トルクにも頑丈に耐えてスパナ掛部の損耗・損傷が無い。また、昇降テーパー駒体の昇降面の外周平面とカバー体裏面との隙間に弾性体を介在し、昇降テーパー駒体の安定した昇降動作ができる。また、カバー体がノックピンで固着されているから、カバー体のガタツキも無く、昇降テーパー駒体の安定した昇降動作ができる。【００１９】  また、上記カバー体の左右両縁部が下方へ折り曲げで、段取レベリングブロックの運搬時に、手の平を傷付けなく安全に作業できる。
【発明を実施するための最良の形態】
【００２０】  以下、図面を参照して本発明の第１実施の形態を説明する。図１は本発明の段取レベリングブロックを示す展開斜視図であり、図２は平面図、図３は断面図、図４は側面図、図５は右端面図、図６は左端面図である。【００２１】  続いて、図１〜図６により、第１実施の形態となる段取レベリングブロック１００を説明する。まず、基体１は、平坦面３とこの前端に直立させた前垂直壁５と後端に直立させた後垂直壁７とを形成した断面凹型の形状をなしている。上記基体１の平坦面３には、前垂直壁５と後垂直壁７の方向に移動する駆動テーパー体１０が載せられている。上記駆動テーパー体１０の前面１０Ａには、雌ネジ１０Ｂが明けられている。上記雌ネジ１０Ｂには、推力ネジ棒１１の先端の雄ネジ１１′が螺合されている。この推力ネジ棒１１は、その嵌合部１１Ａが前垂直壁５に貫通させた軸受孔５Ａに挿通し、この中腹側に膨設した鍔環１１Ｃが前垂直壁５の背面と接触されている。上記嵌合部１１Ａの先端側に座金状の油含浸スラスト軸受１２が嵌入され、更に嵌合部１１Ａの頭部である先端ネジ部１１Ｄには、長身なスパナ掛部１１Ｅが螺合され、接着剤とピンＰにより固着されている。これにより、上記推力ネジ棒１１は、前垂直壁５に貫通させた軸受孔５Ａに挿通し、軸方向不動に回転可能に支持されている。この時、上記油含浸スラスト軸受１２は、推力ネジ棒１１を工具で強力に回転させて駆動テーパー体１０を前垂直壁５側へ牽引すると、軸芯方向に働くスラスト負荷抵抗を強力支持する。上記後垂直壁７には、この壁面に貫通させた２つの雌ネジ７Ａにストップネジ棒１３が螺合し、その先端で上記駆動テーパー体１０の後面に衝突して後退動を規制する。これにより、図３に示すように、上記駆動テーパー体１０は、二点鎖線で示したストップネジ棒１３に当接して止められた位置と、実線で示すように鍔環１１Ｃに当接して止められた位置との間を移動するように規制されている。【００２２】  上記駆動テーパー体１０のテーパー上面には、矩形の昇降面１４Ａを形成し底面にテーパー面１４Ｃを形成した昇降テーパー駒体１４が載せられている。上記昇降テーパー駒体１４の昇降面１４Ａの外周には、カバー体１５がその矩形開口１５Ａを係合させる形態に上記基体１の前垂直壁５の上面及び後垂直壁７の上面にネジ手段Ｂで螺着されている。また、上記カバー体１５は、ノックピンＮＰで前垂直壁上面「勿論、後垂直壁にも設けても良い」上面に固着されている。更に、上記昇降テーパー駒体１４の昇降面１４Ａの前後平面１４Ｂとカバー体１５裏面との隙間に、板バネＢ１又はコイルバネＣＢ等からなる弾性体Ｄを介在させている。これで、上記昇降テーパー駒体１４は、駆動テーパー体１０の前後移動によりそのテーパー上面１０Ｃで昇降動のみ許容される。また、上記基体１の開口した左右両側部は、閉塞板１６，１７がネジ手段Ｂ２で螺着されていて、上記閉塞板１６，１７の上縁がカバー体１５の左右両縁部の内側に位置する関係としている。上記カバー体１５は、その左右両縁部を下方内側へ折り曲げ形成されている。更に、上記基板１の平坦面３には、ドレン孔ＤＨが明けられ、内部に侵入したクーラント液Ｃ等を外部へ自然排出する。そして、上記基板１の裏面両側に長手方向に延びる基準面Ｋ１，Ｋ２が形成されている。これで、工作機械等の定盤に段取レベリングブロック１００を安定して載せられる。【００２３】  本発明の段取レベリングブロック１００は、上記のように構成されており、以下のように作用する。まず、段取レベリングブロック１００は、工具を推力ネジ棒１１の頭部に設けた長身なスパナ掛部１１Ｅに係合して逆転回動し、駆動テーパー体１０を後垂直壁側へ後退して昇降テーパー駒体１４を下降させる。次に、基板１の裏面両側に長手方向に延びる基準面Ｋ１，Ｋ２を工作機械等のテーブルや定盤等に載せて工作機械やワーク冶具底面との隙間に挿入して正確なレベリング位置に精密に固定する。続いて、工具を推力ネジ棒１１の頭部に設けた長身なスパナ掛部１１Ｅに係合して正転回動し、駆動テーパー体１０を前垂直壁側へ前進することでテーパー接合している昇降テーパー駒体１４を微動的に上昇させる。この時、上記駆動テーパー体１０に載せられた昇降テーパー駒体１４は、カバー体１５により昇降台１４Ａのみ露出して昇降動を許容されているから円滑な昇降動が得られる。また、昇降テーパー駒体１４の昇降面の前後平面とカバー体１５裏面との隙間に、板バネＢ１やコイルバネＣＢ等の弾性体Ｄを介在させたから、昇降テーパー駒体１４の無用な浮上やガタツキも無く、安定した昇降動作が得られる。また、カバー体１５をノックピンＮＰで前垂直壁５の上面又は後垂直壁７の上面に固着させたから、カバー体１５のガタツキも無く、昇降テーパー駒体１４の安定した昇降動作が得られる。【００２４】  更に、上記駆動テーパー体１０を前垂直壁５側へ前進させて昇降テーパー駒体１４を上昇させる推力ネジ棒１１は、基体１における堅牢な前垂直壁５に貫通した軸受孔５Ａに軸方向不動に油含浸スラスト軸受１２を介して回転可能に支持されているから、前垂直壁に貫通した軸受孔の強度アップにより前垂直壁の耐久力が著しく向上する。また、油含浸スラスト軸受１２により軸受孔５Ａと嵌合部１１Ａとのかじり現象も無く、推力ネジ棒１１の円滑な回転操作ができる。更に、昇降テーパー駒体１４の昇降ストロークも大きな数値となり、そのレベリング調整範囲が広くなって使用勝手が向上する。具体的には、最低高さにすると収納時に段重ねが可能となる。更に、段取レベリングブロックは、カバー体と左右の閉塞板とにより、塞がれるから切粉やクーラント液が内部に侵入しにくく、内部清掃や分解掃除等のメンテナンスの回数が低減されるしその作業も楽に行える。また、上記カバー体の左右両縁部を下方内側へ折り曲げ形成したから、段取レベリングブロック１００は、このカバー体１５の左右両縁部を手に持っての運搬時に、手の平を傷付けなく、安全である。また、閉塞板の上縁がカバー体１５の左右両縁部の内側に位置する関係としたから、クーラント液や切粉の内部侵入が少なくなる。【００２５】  また、基板１の平坦面３にドレン孔ＤＨが明けられているから、たとえ、段取レベリングブロック１００の内部にクーラント液Ｃが侵入しても、このクーラント液がドレン孔から円滑に外部へ排出される。また、基板の裏面両側に長手方向に延びる基準面を形成したから、テーブルや定盤・基盤への圧着性・密着性が高められ、より一層のワークに対するレベリング精度が改善される。【００２６】  上記の実施の形態による段取レベリングブロック１００は、下記の効果を発揮する。まず、本発明による段取レベリングブロックによると、推力ネジ棒は、基体における堅牢な前垂直壁に貫通した軸受孔に軸方向不動に油含浸スラスト軸受を介して回転可能に支持したから、前垂直壁に貫通した軸受孔の強度アップにより前垂直壁の耐久力が著しく向上できる。更に、昇降テーパー駒体の昇降ストロークが大きくレベリング調整範囲を広くでき、収納時に段重ねができる。更に、カバー体と左右の閉塞板により塞がれるから、切粉・クーラント液が内部に侵入しにくく、内部清掃や分解掃除笠のメンテナンスの回数が低減できる。【００２７】  また、上記推力ネジ棒の長身なスパナ掛部により、工具による大きな回転トルクにも頑丈に耐えてスパナ掛部の損耗・損傷が少なく、安全性が高い。また、昇降テーパー駒体の昇降面の前後平面とカバー体裏面との隙間に弾性体を介在させて、昇降テーパー駒体の安定した昇降動作ができる。また、カバー体がノックピンで固着されているから、カバー体のガタツキも無く、昇降テーパー駒体の安定した昇降動作ができる。【００２８】  また、上記カバー体の左右両縁部が下方へ折り曲げで、段取レベリングブロックの運搬時に、手の平を傷付けなく安全である。また、閉塞板の上縁はカバー体の左右両縁部の内側に位置するから、クーラント液等の内部侵入をしにくくできる。また、仮に、段取レベリングブロック内にクーラント液Ｃが侵入しても、このクーラント液はドレン孔から円滑に外部へ排出できる。また、基板の裏面両側に長手方向に延びる基準面を形成したから、テーブルや定盤・基盤への圧着性・密着性が高く、より一層のワークに対するレベリング精度が向上できる。【００２９】  以上のように、本発明の段取レベリングブロックは、上記段取レベリングブロック１００の実施の形態に限定されず、発明の要旨内での設計変更が可能である。例えば、上記後垂直壁７の壁面に貫通させた２つの雌ネジ７Ａに２つのストップネジ棒１３が螺合されているが、これを１本のストップネジ棒１３としても良いし、ストップネジ棒１３に替えてストップブロックとしても良い。また、上記カバー休１５は、１本のノックピンＮＰで前垂直壁上面及び後垂直壁上面に固着したが、複数本としても良いし、段差面や細かい凹凸面で滑り止め構造としても良い。【００３０】  更に、嵌合部１１Ａの先端軸部１１Ｃの頭部に、長身なスパナ掛部１３を螺合して接着剤で接着し、その後にピンＰを打ち込んで固着しているが、これを溶接で固着させても良い。そして、更には、基準面Ｋ１，Ｋ２やテーパー上面１０Ｃやテーパー面１４Ｃにキサゲ加工を施しても良い。そして、更には、各部の構成変更や材質の変更等が適宜に行われること、勿論である。
【産業上の利用可能性】
【００３１】  本発明は、工作機械や三次元測定機等の精密機械の例に挙げて説明したが、それに限定されるものではなく、様々な機械のレベリング出しに適用可能である。
【図面の簡単な説明】
【００３２】
【図１】  本発明の段取レベリングブロックを示す展開斜視図である。
【図２】  本発明の段取レベリングブロックの平面図である。
【図３】  本発明の段取レベリングブロックの断面図である。
【図４】  本発明の段取レベリングブロックの断面図である。
【図５】  本発明の段取レベリングブロックの右端面図である。
【図６】  本発明の段取レベリングブロックの左端面図である。
【図７】  従来例の平面図と側面図である。
【符号の説明】
【００３３】  １            基体
３            平坦面
５            前垂直壁
５Ａ          軸受孔
７            後垂直壁
７Ａ          雌ネジ
１０          駆動テーパー体
１０Ａ        前面
１０Ｂ        雌ネジ
１０Ｃ        テーパー面
１１          推力ネジ棒
１１′        雄ネジ
１１Ａ        嵌合部
１１Ｂ        雄ネジ
１１Ｄ        先端ネジ部
１１Ｅ        スパナ掛部
１２          油含浸スラスト軸受
１３          ストップネジ棒
１４          昇降テーパー駒体
１４Ａ        昇降面
１４Ｃ        テーパー面
１５          カバー体
１５Ａ        矩形開口
１６，１７    閉塞板
１００        段取レベリングブロック
Ｂ            ネジ手段
Ｂ１          板バネ
Ｃ            クーラント液
ＣＢ          コイルバネ
Ｄ            弾性体
ＤＨ          ドレン孔
Ｋ１，Ｋ２    基準面
ＮＰ          ノックピン
Ｐ            ピン
【図１】
2006263899.tif 000003
【図２】
2006263899.tif 000004
【図３】
2006263899.tif 000005
【図４】
2006263899.tif 000006
【図５】
2006263899.tif 000007
【図６】
2006263899.tif 000008
【図７】
2006263899.tif 000009
【手続補正書】
【提出日】平成18年5月22日(2006.5.22)
【手続補正１】
【補正対象書類名】特許請求の範囲
【補正対象項目名】全文
【補正方法】変更
【補正の内容】
【特許請求の範囲】
【請求項１】
平坦面の前後端に前垂直壁と後垂直壁を形成した断面凹型の基体と、上記基体の床面に載せられ前垂直壁と後垂直壁の方向に移動する駆動勾配体と、上記駆動勾配体の前面に明けた雌ネジに螺合すべく上記前垂直壁に貫通させた軸受孔に軸方向不動に油含浸スラスト軸受に支持された推力ネジ棒と、上記後垂直壁に貫通させた雌ネジに螺合しその先端で上記駆動勾配体の後面に衝突して後退動を規制するストップネジ棒と、上記駆動勾配体の勾配上面に載せられ矩形の昇降面を上部に形成した昇降勾配駒体と、上記駆動勾配体の昇降面に係合して昇降動のみ許容するよう上記前垂直壁上面及び後垂直壁上面にネジ手段で螺着したカバー体と、上記基体の開口した左右両側部をネジ手段で螺着した閉塞板と、を具備したことを特徴とする密閉型段取レベリングブロック。
【請求項２】
上記推力ネジ棒の頭部に長身なスパナ掛部を形成したことを特徴とする請求項１記載の密閉型段取レベリングブロック。
【請求項３】
上記昇降勾配駒体の昇降面の前後平面とカバー体裏面との隙間に、板バネ又はコイルバネ等からなる弾性体を介在させたことを特徴とする請求項１記載の密閉型段取レベリングブロック。
【請求項４】
上記カバー体をノックピンで前垂直壁上面又は後垂直壁上面に固着させたことを特徴とする請求項１または３記載の密閉型段取レベリングブロック。
【請求項５】
上記カバー体の左右両縁部を下方内側へ折り曲げ形成したことを特徴とする請求項１または３または４記載の密閉型段取レベリングブロック。
【手続補正２】
【補正対象書類名】明細書
【補正対象項目名】全文
【補正方法】変更
【補正の内容】
【発明の詳細な説明】
【技術分野】
【０００１】  本発明は、例えば、工作機械や三次元測定機等の精密位置決めを要求される産業機械のワークの水平レベル出しを行うための段取レベリングブロックに係り、特に、工作機械において切削屑の侵入を防ぎ且つコンパクトで有りながら大きなリフト力が得られるようにした密閉型の段取レベリングブロックに関するものである。
【背景技術】
【０００２】ル出しを行うためのレベリングブロックが提供されている。その具体例を以下に説明する。まず、レベリングブロックを工作機械のベッドと基礎コンクリートの間に介在させ、基礎ボルト用溝に基礎ボルトを通して締結し、調整ボルトを回転させることにより滑り台を介して受け板を上下に移動させることによってレベル調整を行う。受け台の底面と受け板の上面に設けた多数の穴により、受け台の底面と基礎コンクリートの間、または受け板の上面にと、上記ベッドとの間の摩擦力を大きくせしめ、レベリングブロックと工作機械ベッドとの間、及びレベリングブロックと基礎コンクリートとの間の滑りを防止し、分割型ベッド間に生じる隙間の発生を抑えるものがある（例えば、特許文献１参照。）。【０００３】  更に、図７のレベリングブロック１１において、基体１には床面２と、前垂直壁３と、左右に側壁４，５とを備える。上記床面２に置かれた勾配駆動体６は、前垂直壁３に設けた係合溝７に嵌合部９Ａを回転可能のみに係合させた高さ調整ボルト９の先端と螺合されて、前後方向にスライドし、この勾配駆動体６の上面に昇降駒体１０の勾配下面を摺り合わせるように載せるとともに、左右の側壁４，５に凹設する溝４Ａ，５Ａに昇降駒体１０の左右側面凸設した凸片１０Ａ，１０Ｂを昇降可能に係合させたものである。これにより、高さ調整ボルト９の頭部９Ａに工具を掛けて手操作で回転駆動することで、勾配駆動体５が前後に移動し、勾配係合する昇降駒体１０を昇降駆動し、ワーク・大物構造加工物等の水平出し・レベリングを行うものである。【０００４】
【特許文献１】  特開２０００−３３４６３１号公報
【発明の開示】
【発明が解決しようとする課題】
【０００５】  しかし、上記図７のレベリングブロック１１によると、勾配駆動体６や高さ調整ボルト９や前垂直壁３に設けた係合溝７に嵌合部９Ａが外部に開放されているから、クーラント液が侵入したり切粉が内部に入り込む。これで、勾配駆動体６の動きを悪いものとするほか、清掃や分解掃除等の操作性やメンテナンス性に劣る。更に、高さ調整ボルト９は、前垂直壁３に設けた係合溝７に係合させたものであるから、大きな推力に前垂直壁３が耐えられないし、係合溝７に対するボルトの嵌合部にもカジリを生じて大きな荷重に耐えられない。また、昇降駒体１０の昇降ストロークも小さく、そのレベリング調整範囲も狭く限定されたものとなって、調整代・使用勝手が悪い。以上のような数々の問題点がある。【０００６】  本発明は、上記レベリングブロック「レベリング装置」における問題点に鑑みてなされたもので、その課題と目的は、工作機械等において切削屑の侵入を防ぎ且つコンパクトで有りながら耐久性を高めて大きなリフト力が得られるようにしたレベリングブロックを提供することにある。
【課題を解決するための手段】
【０００７】  上記目的を達成するべく本発明の請求項１による密閉型段取レベリングブロックは、平坦面の前後端に前垂直壁と後垂直壁を形成した断面凹型の基体と、上記基体の床面に載せられ前垂直壁と後垂直壁の方向に移動する駆動勾配体と、上記駆動勾配体の前面に明けた雌ネジに螺合すべく上記前垂直壁に貫通させた軸受孔に軸方向不動に油含浸スラスト軸受に支持された推力ネジ棒と、上記後垂直壁に貫通させた雌ネジに螺合しその先端で上記駆動勾配体の後面に衝突して後退動を規制するストップネジ棒と、上記駆動勾配体の勾配上面に載せられ矩形の昇降面を上部に形成した昇降勾配駒体と、上記駆動勾配体の昇降面に係合して昇降動のみ許容するよう上記前垂直壁上面及び後垂直壁上面にネジ手段で螺着したカバー体と、上記基体の開口した左右両側部をネジ手段で螺着した閉塞板と、を具備したことを特徴とするものである。【０００８】  また、請求項２による密閉型段取レベリングブロックは、請求項１記載の密閉型段取レベリングブロックにおいて、上記推力ネジ棒における頭部に長身なスパナ掛部を形成したことを特徴とするものである。【０００９】  また、請求項３による密閉型段取レベリングブロックは、請求項１記載の密閉型段取レベリングブロックにおいて、上記昇降勾配駒体の昇降面の前後平面とカバー体裏面との隙間に、板バネ又はコイルバネ等からなる弾性体を介在させたことを特徴とするものである。【００１０】  また、請求項４による密閉型段取レベリングブロックは、請求項１または３記載の密閉型段取レベリングブロックにおいて、上記カバー体をノックピンで前垂直壁上面又は後垂直壁上面に固着させたことを特徴とするものである。【００１１】  また、請求項５による密閉型段取レベリングブロックは、請求項１または３または４記載の密閉型段取レベリングブロックにおいて、上記カバー体の左右両縁部を下方内側へ折り曲げ形成したことを特徴とするものである。【００１２】  即ち、本発明の密閉型段取レベリングブロックは、平坦面の前後端に前垂直壁と後垂直壁を持つ基体と、この平坦面に載せた駆動勾配体と、上記駆動勾配体の前面に明けた雌ネジに上記前垂直壁に貫通した軸受孔に軸方向不動に油含浸スラスト軸受を介して回転可能に支持された推力ネジ棒と、上記駆動勾配体に載せられ昇降勾配駒体の昇降台のみ露出して昇降動を許容するカバー体と、上記基体の開口した左右両側部を密閉する閉塞板と、からかる。これにより、推力ネジ棒は、基体における堅牢な前垂直壁に貫通した軸受孔に軸方向不動に油含浸スラスト軸受を介して回転可能に支持されているから、前垂直壁に貫通した軸受孔の強度アップにより耐久力が著しく向上し、大きな耐荷重にて押し上げることができる。また、油含浸スラスト軸受により軸受孔に対する推力ネジ棒の嵌合部のかじり現象も無く、推力ネジ棒の円滑な回転操作ができる。【００１３】  更に、昇降勾配駒体の昇降ストロークも大きくなり、そのレベリング調整範囲が広くなって使用勝手が向上する。具体的には、最低高さにすると昇降面の高さが低くなり収納時段重ねが可能となる。更に、昇降勾配駒体は、大きな昇降ストロークが得られる。更に、密閉型段取レベリングブロックは、カバー体と左右の閉塞���とにより塞がれるから、切粉やクーラント液が内部に侵入しにくく、内部清掃や分解掃除等のメンテナンスの回数が低減されるしその作業も楽に行える。【００１４】  また、上記推力ネジ棒には、頭部に長身なスパナ掛部を形成したから、工具による大きな回転トルクにも頑丈に耐えられるし、スパナ掛部の損耗・損傷も少なく安全性が高い。【００１５】  また、昇降勾配駒体の昇降面の前後平面とカバー体裏面との隙間に、弾性体を介在させたから、昇降勾配駒体の無用な浮上やガタツキも無く、安定した昇降動作が得られる。また、カバー体をノックピンで前垂直壁上面又は後垂直壁上面に固着させたから、カバー体のガタツキも無く、昇降勾配駒体の安定した昇降動作が得られる。【００１６】  また、上記カバー体の左右両縁部を下方内側へ折り曲げ形成したから、密閉型段取レベリングブロックはこのカバー体の左右両縁部を手に持っての運搬時に、手の平を傷付けなく、安全である。
【発明の効果】
【００１７】  本発明による密閉型段取レベリングブロックによると、推力ネジ棒は、基体における堅牢な前垂直壁に貫通した軸受孔に軸方向不動に油含浸スラスト軸受を介して回転可能に支持したから、推力ネジ棒の回転が円滑となり且つ前垂直壁に貫通した軸受孔の強度アップにより耐久力が著しく高い。更に、昇降勾配駒体の昇降ストロークが大きくレベリング調整範囲を広くでき、収納時段重ねができる。更に、カバー体と左右の閉塞板により塞がれるから、切粉・クーラント液が内部に侵入しにくく、内部清掃や分解掃除等のメンテナンスの回数が低減できる。【００１８】  また、上記推力ネジ棒の長身なスパナ掛部により、工具による大きな回転トルクにも頑丈に耐えてスパナ掛部の損耗・損傷が無い。また、昇降勾配駒体の昇降面の外周平面とカバー体裏面との隙間に弾性体を介在し、昇降勾配駒体の安定した昇降動作ができる。また、カバー体がノックピンで固着されているから、カバー体のガタツキも無く、昇降勾配駒体の安定した昇降動作ができる。【００１９】  また、上記カバー体の左右両縁部が下方へ折り曲げで、密閉型段取レベリングブロックの運搬時に、手の平を傷付けなく安全に作業できる。
【発明を実施するための最良の形態】
【００２０】  以下、図面を参照して本発明の第１実施の形態を説明する。図１は本発明の密閉型段取レベリングブロックを示す展開斜視図であり、図２は平面図、図３は断面図、図４は側面図、図５は右端面図、図６は左端面図である。【００２１】  続いて、図１〜図６により、第１実施の形態となる密閉型段取レベリングブロック１００を説明する。まず、基体１は、平坦面３とこの前端に直立させた前垂直壁５と後端に直立させた後垂直壁７とを形成した断面凹型の形状をなしている。上記基体１の平坦面３には、前垂直壁５と後垂直壁７の方向に移動する駆動勾配体１０が載せられている。上記駆動勾配体１０の前面１０Ａには、雌ネジ１０Ｂが明けられている。上記雌ネジ１０Ｂには、推力ネジ棒１１の先端の雄ネジ１１′が螺合されている。この推力ネジ棒１１は、その嵌合部１１Ａが前垂直壁５に貫通させた軸受孔５Ａに挿通し、この中腹側に膨設した鍔環１１Ｃが前垂直壁５の背面と接触されている。上記嵌合部１１Ａの先端側に座金状の油含浸スラスト軸受１２が嵌入され、更に嵌合部１１Ａの頭部である先端ネジ部１１Ｄには、長身なスパナ掛部１１Ｅが螺合され、接着剤とピンＰにより固着されている。これにより、上記推力ネジ棒１１は、前垂直壁５に貫通させた軸受孔５Ａに挿通し、軸方向不動に回転可能に支持されている。この時、上記油含浸スラスト軸受１２は、推力ネジ棒１１を工具で強力に回転させて駆動勾配体１０を前垂直壁５側へ牽引すると、軸芯方向に働くスラスト負荷抵抗を強力支持する。上記後垂直壁７には、この壁面に貫通させた２つの雌ネジ７Ａにストップネジ棒１３が螺合し、その先端で上記駆動勾配体１０の後面に衝突して後退動を規制する。これにより、図３に示すように、上記駆動勾配体１０は、二点鎖線で示したストップネジ棒１３に当接して止められた位置と、実線で示すように鍔環１１Ｃに当接して止められた位置との間を移動するように規制されている。【００２２】  上記駆動勾配体１０の勾配上面には、矩形の昇降面１４Ａを形成し底面に勾配面１４Ｃを形成した昇降勾配駒体１４が載せられている。上記昇降勾配駒体１４の昇降面１４Ａの外周には、カバー体１５がその矩形開口１５Ａを係合させる形態に上記基体１の前垂直壁５の上面及び後垂直壁７の上面にネジ手段Ｂで螺着されている。また、上記カバー体１５は、ノックピンＮＰで前垂直壁上面「勿論、後垂直壁にも設けても良い」上面に固着されている。更に、上記昇降勾配駒体１４の昇降面１４Ａの前後平面１４Ｂとカバー体１５裏面との隙間に、板バネＢ１又はコイルバネＣＢ等からなる弾性体Ｄを介在させている。これで、上記昇降勾配駒体１４は、駆動勾配体１０の前後移動によりその勾配上面１０Ｃで昇降動のみ許容される。また、上記基体１の開口した左右両側部は、閉塞板１６，１７がネジ手段Ｂ２で螺着されていて、上記閉塞板１６，１７の上縁がカバー体１５の左右両縁部の内側に位置する関係としている。上記カバー体１５は、その左右両縁部を下方内側へ折り曲げ形成されている。更に、上記基板１の平坦面３には、ドレン孔ＤＨが明けられ、内部に侵入したクーラント液Ｃ等を外部へ自然排出する。そして、上記基板１の裏面両側に長手方向に延びる基準面Ｋ１，Ｋ２が形成されている。これで、工作機械等の定盤に段取レベリングブロック１００を安定して載せられる。【００２３】  本発明の密閉型段取レベリングブロック１００は、上記のように構成されており、以下のように作用する。まず、密閉型段取レベリングブロック１００は、工具を推力ネジ棒１１の頭部に設けた長身なスパナ掛部１１Ｅに係合して逆転回動し、駆動勾配体１０を後垂直壁側へ後退して昇降勾配駒体１４を下降させる。次に、基板１の裏面両側に長手方向に延びる基準面Ｋ１，Ｋ２を工作機械等のテーブルや定盤等に載せて工作機械やワーク冶具底面との隙間に挿入して正確なレベリング位置に精密に固定する。続いて、工具を推力ネジ棒１１の頭部に設けた長身なスパナ掛部１１Ｅに係合して正転回動し、駆動勾配体１０を前垂直壁側へ前進することで勾配接合している昇降勾配駒体１４を微動的に上昇させる。この時、上記駆動勾配体１０に載せられた昇降勾配駒体１４は、カバー体１５により昇降台１４Ａのみ露出して昇降動を許容されているから円滑な昇降動が得られる。また、昇降勾配駒体１４の昇降面の前後平面とカバー体１５裏面との隙間に、板バネＢ１やコイルバネＣＢ等の弾性体Ｄを介在させたから、昇降勾配駒体１４の無用な浮上やガタツキも無く、安定した昇降動作が得られる。また、カバー体１５をノックピンＮＰで前垂直壁５の上面又は後垂直壁７の上面に固着させたから、カバー体１５のガタツキも無く、昇降勾配駒体１４の安定した昇降動作が得られる。【００２４】  更に、上記駆動勾配体１０を前垂直壁５側へ前進させて昇降勾配駒体１４を上昇させる推力ネジ棒１１は、基体１における堅牢な前垂直壁５に貫通した軸受孔５Ａに軸方向不動に油含浸スラスト軸受１２を介して回転可能に支持されているから、前垂直壁に貫通した軸受孔の強度アップにより前垂直壁の耐久力が著しく向上する。また、油含浸スラスト軸受１２により軸受孔５Ａと嵌合部１１Ａとのかじり現象も無く、推力ネジ棒１１の円滑な回転操作ができる。更に、昇降勾配駒体１４の昇降ストロークも大きな数値となり、そのレベリング調整範囲が広くなって使用勝手が向上する。具体的には、最低高さにすると収納時に段重ねが可能となる。更に、密閉型段取レベリングブロックは、カバー体と左右の閉塞板とにより、塞がれるから切粉やクーラント液が内部に侵入しにくく、内部清掃や分解掃除等のメンテナンスの回数が低減されるしその作業も楽に行える。また、上記カバー体の左右両縁部を下方内側へ折り曲げ形成したから、密閉型段取レベリングブロック１００は、このカバー体１５の左右両縁部を手に持っての運搬時に、手の平を傷付けなく、安全である。また、閉塞板の上縁がカバー体１５の左右両縁部の内側に位置する関係としたから、クーラント液や切粉の内部侵入が少なくなる。【００２５】  また、基板１の平坦面３にドレン孔ＤＨが明けられているから、たとえ、密閉型段取レベリングブロック１００の内部にクーラント液Ｃが侵入しても、このクーラント液がドレン孔から円滑に外部へ排出される。また、基板の裏面両側に長手方向に延びる基準面を形成したから、テーブルや定盤・基盤への圧着性・密着性が高められ、より一層のワークに対するレベリング精度が改善される。【００２６】  上記の実施の形態による密閉型段取レベリングブロック１００は、下記の効果を発揮する。まず、本発明による密閉型段取レベリングブロックによると、推力ネジ棒は、基体における堅牢な前垂直壁に貫通した軸受孔に軸方向不動に油含浸スラスト軸受を介して回転可能に支持したから、前垂直壁に貫通した軸受孔の強度アップにより前垂直壁の耐久力が著しく向上できる。更に、昇降勾配駒体の昇降ストロークが大きくレベリング調整範囲を広くでき、収納時に段重ねができる。更に、カバー体と左右の閉塞板により塞がれるから、切粉・クーラント液が内部に侵入しにくく、内部清掃や分解掃除等のメンテナンスの回数が低減できる。【００２７】  また、上記推力ネジ棒の長身なスパナ掛部により、工具による大きな回転トルクにも頑丈に耐えてスパナ掛部の損耗・損傷が少なく、安全性が高い。また、昇降勾配駒体の昇降面の前後平面とカバー体裏面との隙間に弾性体を介在させて、昇降勾配駒体の安定した昇降動作ができる。また、カバー体がノックピンで固着されているから、カバー体のガタツキも無く、昇降勾配駒体の安定した昇降動作ができる。【００２８】  また、上記カバー体の左右両縁部が下方へ折り曲げで、密閉型段取レベリングブロックの運搬時に、手の平を傷付けなく安全である。また、閉塞板の上縁はカバー体の左右両縁部の内側に位置するから、クーラント液等の内部侵入をしにくくできる。また、仮に、密閉型段取レベリングブロック内にクーラント液Ｃが侵入しても、このクーラント液はドレン孔から円滑に外部へ排出できる。また、基板の裏面両側に長手方向に延びる基準面を形成したから、テーブルや定盤・基盤への圧着性・密着性が高く、より一層のワークに対するレベリング精度が向上できる。【００２９】  以上のように、本発明の密閉型段取レベリングブロックは、上記密閉型段取レベリングブロック１００の実施の形態に限定されず、発明の要旨内での設計変更が可能である。例えば、上記後垂直壁７の壁面に貫通させた２つの雌ネジ７Ａに２つのストップネジ棒１３が螺合されているが、これを１本のストップネジ棒１３としても良いし、ストップネジ棒１３に替えてストップブロックとしても良い。また、上記カバー体１５は、１本のノックピンＮＰで前垂直壁上面及び後垂直壁上面に固着したが、複数本としても良いし、段差面や細かい凹凸面で滑り止め構造としても良い。【００３０】  更に、嵌合部１１Ａの先端軸部１１Ｃの頭部に、長身なスパナ掛部１３を螺合して接着剤で接着し、その後にピンＰを打ち込んで固着しているが、これを溶接で固着させても良い。そして、更には、基準面Ｋ１，Ｋ２や勾配上面１０Ｃや勾配面１４Ｃにキサゲ加工を施しても良い。そして、更には、各部の構成変更や材質の変更等が適宜に行われること、勿論である。
【産業上の利用可能性】
【００３１】  本発明は、工作機械や三次元測定機等の精密機械の例に挙げて説明したが、それに限定されるものではなく、様々な機械のレベリング出しに適用可能である。
【図面の簡単な説明】
【００３２】
【図１】  本発明の密閉型段取レベリングブロックを示す展開斜視図である。
【図２】  本発明の密閉型段取レベリングブロックの平面図である。
【図３】  本発明の密閉型段取レベリングブロックの断面図である。
【図４】  本発明の密閉型段取レベリングブロックの断面図である。
【図５】  本発明の密閉型段取レベリングブロックの右端面図である。
【図６】  本発明の密閉型段取レベリングブロックの左端面図である。
【図７】  従来例の平面図と側面図である。
【符号の説明】
【００３３】１            基体
３            平坦面
５            前垂直壁
５Ａ          軸受孔
７            後垂直壁
７Ａ          雌ネジ
１０          駆動勾配体
１０Ａ        前面
１０Ｂ        雌ネジ
１０Ｃ勾配面
１１          推力ネジ棒
１１′        雄ネジ
１１Ａ        嵌合部
１１Ｂ        雄ネジ
１１Ｄ        先端ネジ部
１１Ｅ        スパナ掛部
１２          油含浸スラスト軸受
１３          ストップネジ棒
１４          昇降勾配駒体
１４Ａ        昇降面
１４Ｂ前後平面
１４Ｃ勾配面
１５          カバー体
１５Ａ        矩形開口
１６，１７    閉塞板
１００密閉型段取レベリングブロック
Ｂ            ネジ手段
Ｂ１          板バネ
Ｃ            クーラント液
ＣＢ          コイルバネ
Ｄ            弾性体
ＤＨ          ドレン孔
Ｋ１，Ｋ２    基準面
ＮＰ          ノックピン
Ｐ            ピン
【手続補正４】
【補正対象書類名】図面
【補正対象項目名】図７
【補正方法】変更
【補正の内容】
【図７】
2006263899.tif 000010